(57)【要約】【課題】レール設置部材の組み付けを行いやすくする。【解決手段】冷却貯蔵庫１０は、前面開口２１が設けられ断熱壁にて構成された収納室２０と、前記前面開口２１を前記収納室２０の開口端部において縦横に仕切る仕切部材４０と、前記仕切部材４０によって区画形成された開口部２３を開閉可能な蓋部５１を有しており、前記収納室２０内に収納可能なドロワ５０と、前記ドロワ５０を引き出し可能にするためのレール６０と、を備えた冷却貯蔵庫１０であって、前記開口部２３近傍には、前記仕切部材４０よりも前記収納室２０の内側であって、前記レール６０を縦方向に複数設置可能なレール設置部材７０Ｂが設けられており、前記収納室２０内には、前記仕切部材４０と前記レール設置部材７０Ｂとを支持するための支持具８０が設けられており、前記支持具８０の側面８３には前記レール設置部材７０Ｂが支持され、前記支持具８０の前面８７には前記仕切部材４０が支持される。【選択図】図１２
2015078786.tif 000002
【特許請求の範囲】
【請求項１】
前面開口が設けられ断熱壁にて構成された収納室と、
前記前面開口を前記収納室の開口端部において縦横に仕切る仕切部材と、
前記仕切部材によって区画形成された開口部を開閉可能な蓋部を有しており、前記収納室内に収納可能なドロワと、
前記ドロワを引き出し可能にするためのレールと、を備えた冷却貯蔵庫であって、
前記開口部近傍には、前記仕切部材よりも前記収納室の内側であって、前記レールを縦方向に複数設置可能なレール設置部材が設けられており、
前記収納室内には、前記仕切部材と前記レール設置部材とを支持するための支持具が設けられており、
前記支持具の側面には前記レール設置部材が支持され、前記支持具の前面には前記仕切部材が支持されることを特徴とする冷却貯蔵庫。
【請求項２】
前記支持具は、前記収納室の天面と底面に取り付けられ、かつ、前記レール設置部材を組み付けるレール設置部材組付面を前記収納室の前記天面または前記底面から立ち上がるように有しており、
前記レール設置部材は、前記収納室内の高さ寸法よりもわずかに短くなっていることを特徴とする請求項１に記載の冷却貯蔵庫。
【請求項３】
前記支持具は、その前面に前記仕切部材を支持するための仕切部材支持部を有し、前記仕切部材支持部は当該支持具の前記側面よりも突出する支持具側突出部を備えてなり、
前記仕切部材は、その裏面に前記仕切部材支持部に取り付けるための取付部を有し、前記取付部は当該仕切部材の側面よりも突出する仕切部材側突出部を備えてなり、
前記支持具側突出部と前記仕切部材側突出部とが組み付けられることを特徴とする請求項１または請求項２に記載の冷却貯蔵庫。
【請求項４】
前記レール設置部材は、その端部において切欠部が設けられ、前記仕切部材支持部が前記切欠部内に位置するように、前記支持具に対して支持されていることを特徴とする請求項３に記載の冷却貯蔵庫。
【請求項５】
前記収納室は、その底面が前側に向かって下り勾配となっており、前記支持具の近傍に排水口を有しており、
前記切欠部は、前記レール設置部材の下側の前面に設けられていることを特徴とする請求項４に記載の冷却貯蔵庫。
【発明の詳細な説明】
【技術分野】
【０００１】
本発明は、冷却貯蔵庫に関する。
【背景技術】
【０００２】
従来引き出し式の冷却貯蔵庫の一例として、特許文献１に記載されたものが知られている。この冷却貯蔵庫は、冷蔵庫本体内に、前面に出入口を設けた収納室が設けられており、この出入口が縦横に仕切られている。そして、その仕切られた区画内にドロワが収容されており、このドロワには、仕切られた出入口を開閉する扉（蓋部）の裏面に枠体が延設されている。この枠体の内、左右の側枠には、可動レールとガイドローラが設けられており、冷蔵庫本体側には、仕切枠の収納室側に柱状の支持柱（レール設置部材）が設けられており、この支持柱に対して固定レールと支持ローラが設けられている。そして、可動レールに支持ローラが、固定レールにガイドローラが転動可能に装着されることで、引き出しの出し入れが可能となっている。
【先行技術文献】
【特許文献】
【０００３】
【特許文献１】特開２０１３−１１９９７０号公報
【発明の概要】
【発明が解決しようとする課題】
【０００４】
上記した冷却貯蔵庫においては、支持柱（レール設置部材）が仕切枠に取り付けられている。そのため、仕切枠を取り付けてから、支持柱を仕切枠の内側に組み付けなければならないため、仕切枠と支持柱との組み付けが行いにくいという問題があった。
本発明は上記のような事情に基づいて完成されたものであって、レール設置部材の組み付けを行いやすくした冷却貯蔵庫を提供することを目的とする。
【課題を解決するための手段】
【０００５】
本発明の冷却貯蔵庫は、前面開口が設けられ断熱壁にて構成された収納室と、前記前面開口を前記収納室の開口端部において縦横に仕切る仕切部材と、前記仕切部材によって区画形成された開口部を開閉可能な蓋部を有しており、前記収納室内に収納可能なドロワと、前記ドロワを引き出し可能にするためのレールと、を備えた冷却貯蔵庫であって、前記開口部近傍には、前記仕切部材よりも前記収納室の内側であって、前記レールを縦方向に複数設置可能なレール設置部材が設けられており、前記収納室内には、前記仕切部材と前記レール設置部材とを支持するための支持具が設けられており、前記支持具の側面には前記レール設置部材が支持され、前記支持具の前面には前記仕切部材が支持される。
【０００６】
上記構成では、仕切部材とレール設置部材とを冷却貯蔵庫に取り付ける際に支持具を用いている。仮に、支持具を用いずにレール設置部材を仕切部材に取り付けるようにする場合には、仕切部材を冷却貯蔵庫に取り付けた後に、レール設置部材を該仕切部材の内側部分に組み付ける必要があるため、横の仕切部材などが作業の際に邪魔になり、作業性が悪くなる。しかし、上記構成のように支持具を用いることで、支持具に対してその側面にレール設置部材を組み付けた後、仕切部材を支持具の前面に組み付ければ、レール設置部材と仕切部材の取り付けがなされることになるため、組み付け作業が容易になる。
【０００７】
また、上記課題を解決するための手段として、以下のような構成としてもよい。
（１）前記支持具は、前記収納室の天面と底面に取り付けられ、かつ、前記レール設置部材を組み付けるレール設置部材組付面を前記収納室の前記天面または前記底面から立ち上がるように有しており、前記レール設置部材は、前記収納室内の高さ寸法よりもわずかに短くなっている構成。
このような構成では、レール設置部材が収納室内の高さ寸法よりも短くなっていることから、取り付けのために収納室内にレール設置部材を配置する際に、収納室内の天面や底面に擦るなどして傷をつける不具合が生じにくくなる。また、天面もしくは底面のいずれかにレール設置部材を突き当てて位置決めを行った場合、底面もしくは天面のいずれかとレール設置部材の間に隙間が生じるが、レール設置部材は、底面や天面に直接取り付けるのではなく、支持具に取り付けるために、そのような隙間があっても滞りなく組み付けを行うことができる。なお、レール設置部材の長さは、短めの方が、傷をつける可能性が低くなって好ましいが、レール設置部材が支持具に固定できるだけの長さを有するように支持具の高さなどによって決められている。
【０００８】
（２）前記支持具は、その前面に前記仕切部材を支持するための仕切部材支持部を有し、前記仕切部材支持部は当該支持具の前記側面よりも突出する支持具側突出部を備えてなり、前記仕切部材は、その裏面に前記仕切部材支持部に取り付けるための取付部を有し、前記取付部は当該仕切部材の側面よりも突出する仕切部材側突出部を備えてなり、前記支持具側突出部と前記仕切部材側突出部とが組み付けられる構成。
このような構成では、仕切部材と支持具との組み付けを、仕切部材の前面側から行うことができ、作業性に優れている。
【０００９】
（３）前記レール設置部材は、その端部において切欠部が設けられ、前記仕切部材支持部が前記切欠部内に位置するように、前記支持具に対して支持されている構成。
このような構成では、仕切部材支持部が切欠部内に位置するため、仕切部材支持部及び支持具側突出部がレール設置部材と当接してしまう不具合を解消できる。
【００１０】
（４）前記収納室は、その底面が前側に向かって下り勾配となっており、前記支持具の近傍に排水口を有しており、前記切欠部は、前記レール設置部材の下側の前面に設けられている構成。
このようにレール設置部材の下側の前面側が切り欠かれていることによって、支持具の傍、特に収納室底面手前側に溜まった排水を排水口に流し込むことができる。仮に、切欠きがなかった場合には、収納室底面手前に溜まった排水を流すことができず、溜まったままになってしまうため、不衛生となる。
【発明の効果】
【００１１】
本発明によれば、レール設置部材の組み付けを行いやすくした冷却貯蔵庫を提供することができる。
【図面の簡単な説明】
【００１２】
【図１】本発明の一実施形態に係るドロワ式冷蔵庫の外観斜視図
【図２】固定レールの取り付け構造を示す一部切欠断面斜視図
【図３】ドロワを引き出した状態で固定レールの取り付け構造を示す一部切欠断面斜視図
【図４】仕切枠を図示しない状態で固定レールの取り付け構造を示す斜視図
【図５】仕切枠を図示しない状態での斜視図
【図６】一部切欠平面図
【図７】固定レール用支柱の斜視図
【図８】支柱ブラケットの斜視図
【図９】支柱ブラケットの底面図
【図１０】天面側の支柱ブラケットに固定レール用支柱を組み付ける状態の庫内側から見た斜視図
【図１１】底面側の支柱ブラケットに固定レール用支柱を組み付ける状態の庫内側から見た斜視図
【図１２】支柱ブラケットに仕切枠を組み付ける状態の斜視図
【発明を実施するための形態】
【００１３】
＜実施形態＞
本発明の一実施形態を図１ないし図１２に基づいて説明する。
この実施形態のドロワ式冷蔵庫１０はドロワ５０を６個備えた形式であって、図１ないし図３に示すように、断熱箱体からなる横長の冷蔵庫本体１１を備えている。冷蔵庫本体１１は、ともにステンレス鋼板からなる内箱１３と外箱１４とが間隔を隔てて組み合わされるとともに、内箱１３と外箱１４の開口縁の間が合成樹脂製のジョイナ１６で結合されることによって、外殻体１７が形成され、この外殻体１７内に発泡ウレタン樹脂等の発泡樹脂からなる断熱材が発泡充填されて形成されている。
【００１４】
冷蔵庫本体１１内における正面視右側の大部分の領域が冷蔵室２０となっており、この冷蔵室２０の前面開口部２１に断熱性の仕切枠４０が縦横に組まれて配されることで、横２列縦３段の合計６個の出入口２３が区画形成されている。そして、各出入口２３の後方の冷蔵室２０内が各ドロワ５０のドロワ収納室２５となっている。そして、各ドロワ収納室２５に対して、それぞれドロワ５０が出入口２３を通して引き出し可能に収納されている。なお、各ドロワ収納室２５の間には、仕切はなく、互いに連通している。また、冷蔵室２０の底面１３Ａには、排水口２７（図６参照）が設けられており、排水が排水口２７に流れるように冷蔵室２０内の底面１３Ａは排水口２７に向かって緩やかな下り勾配となっている。
【００１５】
上記のような冷蔵庫本体１１が、底面の四隅に設けられた脚１９によって支持されている。また冷蔵庫本体１１の正面から見た左側部には機械室３０が設けられており、図６に示すように、機械室３０内部に冷凍装置が収納されている。冷凍装置は少なくとも凝縮器ファンを備えた凝縮器と、圧縮機３１とが前後に並べて設けられ、この冷凍装置から引き出された冷媒配管が、冷却器３７と循環接続されている。冷却器３７は、機械室３０側に冷蔵室２０から張出形成された冷却器室３５に収納されている。冷却器室３５には、庫内ファン３９が設けられており、冷却器室３５と冷蔵室２０の間の壁面には、吸込口２８と吹出口２９（図５参照）が形成されている。そして、冷凍装置と庫内ファン３９が駆動されると、庫内空気が吸込口２８から吸い込まれて冷却器室３５内に導かれ、そこに収容された冷却器３７を流通する間に熱交換によって冷気が生成され、この冷気が吹出口２９から庫内に吹き出されるといった循環流通がなされることで、冷蔵室２０内すなわち各ドロワ収納室２５が冷却されるようになっている。
【００１６】
上記した前面開口部２１には、図２及び図３に示すように、仕切枠４０が嵌められている。仕切枠４０は、高さ方向を区切るように配される横フレーム４１と、幅方向を区切るように配される縦フレーム４３とを組み合わせることで形成されている。横フレーム４１と縦フレーム４３は、チャンネル状の２つのフレームを嵌め合わせることで、角筒状をなすフレーム体４９とされている。具体的には、チャンネル形をなすステンレス鋼板等の金属製のフロントフレーム４９Ａに樹脂製のインナーフレーム４９Ｂを互い向き合わせて、インナーフレーム４９Ｂの側面が露出するように、フロントフレーム４９Ａの側面をインナーフレーム４９Ｂ内に嵌め込むことで形成されている。このように形成されたフレーム体４９内に、同じく発泡樹脂等から予め成形された断熱材が嵌められることで、縦フレーム４３と横フレーム４１は断熱構造とされている。また、縦フレーム４３と横フレーム４１の内部には露付き防止ヒータであるコードヒータが貼り付けられている。この仕切枠４０が前面開口部２１の所定位置に嵌められて固定されることで、横２列縦３段の合計６個の出入口２３が区画形成されている。
【００１７】
また、図６及び図１２に示すように、フロントフレーム４９Ａのうち、縦フレーム４３の縦フロントフレーム本体４５の下側には、前面側から略直角に屈曲された底面４５Ａが形成されており、庫内側に延伸されている。そして、底面４５Ａの前後方向の長さはジョイナ１６の幅寸法（前後方向の長さ）とほぼ同一になるように延伸されている。そして、底面４５Ａは、ジョイナ１６より奥側の位置で上向きに垂直に屈曲しており、後述する支柱ブラケット８０と対向して取り付けられるフレーム側取付部４７が形成されている。フレーム側取付部４７は、縦フロントフレーム本体４５の左右方向の幅よりも若干幅広になるように形成されており左右方向に突出するフレーム側取付部突出部４７Ａが形成されている。そして、フレーム側取付部突出部４７Ａにはボルトを貫通させるための孔４７Ｂが左右それぞれに形成されている。縦フロントフレーム本体４５の上側にも下側と同様に、縦フロントフレーム本体４５の天面から延伸屈曲することで、フレーム側取付部４７が形成されている。このように縦フレーム４３から連続して上下端部にフレーム側取付部４７が形成されることで、後述する支柱ブラケット８０と仕切枠４０が固定可能とされる。
【００１８】
次に、仕切枠４０によって区画形成された出入口２３に収納されるドロワ５０について、図１ないし図３に基づいて説明する。ドロワ５０は大まかには、前板５１の裏面側に、上面側からホテルパンＴを収納可能な枠体部５３を設けた構造である。前板５１は断熱性であって、上記したドロワ収納室２５の出入口２３を前面から開閉可能となっており、その表面には取手が設けられているとともに、裏面の周縁には、出入口２３の表面側の口縁に密着してシールするパッキンが装着されている。
【００１９】
枠体部５３は、前板５１の裏面から、左右一対のＬ字型の取付板５４が突設されている。そして、取付板５４の外面側上部には、ホテルパンＴを載置するための左右一対の載置板５５が片持ち状に取り付けられている。載置板５５は、ドロワ収納室２５の奥行よりも少し短い長さ寸法を持った帯状に形成されており、その上縁が、ホテルパンＴの左右のフランジを載置するように外側に向けて張り出し形成されて、断面がＬ字型となっている。また、載置板５５は、ホテルパンＴが収納可能な間隔を開けて配されている。この載置板５５の手前側と奥側の端部には、ホテルパンＴの前後のフランジを載置する連結部材５６が形成されている。
【００２０】
そして、取付板５４の外面側下部には、載置板５５と平行に取り付けられる可動レール５７が片持ち状に取り付けられている。可動レール５７は、枠体部５３のほぼ全長に亘る長さを有しており、可動レール５７の上縁は外側に向けて曲げ形成された山形断面を有する溝板５７Ａが設けられており、また下縁では、内側に向けて曲げ形成されている。なお、可動レール５７の奥側の端部では、溝板５７Ａの一部が切除されて、支持ローラ６９を挿入しやすくなっている。
また、左右の可動レール５７における奥側の端部の間には、前方に開口した箱形をなす取付体５８が嵌められて固定されている。取付体５８の左右の側面における上部位置には、ガイドローラ５９（図６参照）が回転可能に軸支されている。
【００２１】
次に、ドロワ５０の収納構造について説明する。まず、庫内側には、ドロワ５０の数だけレールユニット６０が設けられている。このレールユニット６０は、図２ないし図４に示すように、全体として四枠のフレーム状に組み付けられている。詳細には、対向して配される左右一対のレールベース６１を備えており、このレールベース６１は、全体として方形状をなし、上下両端部に、外側に段差状に引っ込むように曲げ形成されたレール取付部６１Ａが設けられている。
【００２２】
レールベース６１の上部位置からは、それぞれ固定レール６３が片持ち状に延出して取り付けられている。この固定レール６３は、出入口２３から冷蔵庫本体１１の後面１３Ｄ（内箱１３の後側の内面）に達する長さを有し、その上縁と下縁が内側に山形形状に折り曲げ形成されている。固定レール６３の手前側の端部では、下側が折り曲げ形成されておらず、ガイドローラ５９を挿入しやすくなっている。このような固定レール６３の手前側の端部が、レールベース６１にボルト止め等によって固定されている。そして、両固定レール６３は、出入口２３の横幅寸法とほぼ等しい所定間隔を開けて互いに平行に配され、両固定レール６３の奥端側の間には、例えばチャンネル材からなる連結板６５が渡されて、両固定レール６３と溶接等によって固定されている。また、連結板６５には、冷蔵室２０（内箱１３）の後面１３Ｄに設けられた位置決めピンに差し込まれる穴が設けられており、この穴が位置決めピンに差し込まれることで、連結板６５が冷蔵室２０内に位置決めされる。
そして、両レールベース６１の間には、ストッパ受け６７が差し渡されており、ドロワ５０に設けられたストッパを受けつつ、両固定レール６３の手前側の端部の間を所定間隔を隔てて連結している。また、レールベース６１の手前側下部には、支持ローラ６９が回転可能に軸支されている。
【００２３】
上記のレールユニット６０は、図４に示すように、冷蔵室２０内に立設された支持柱７０に取り付けられている。支持柱７０は、ステンレス鋼板等の金属で形成され、略チャンネル形状をなしており、冷蔵室２０の左右側面１３Ｃ（内箱１３）に取り付けられる壁用支持柱７０Ａと、冷蔵室２０の略中央付近（ドロワ５０とドロワ５０の間）に取り付けられる中央支持柱７０Ｂの２種類がある。壁用支持柱７０Ａと中央支持柱７０Ｂには、レールユニット６０をボルト止めするためのネジ孔７１（図７参照）が設けられている。ネジ孔７１は丸孔とされており、ネジ孔７１の裏面（レールユニット６０が取り付けられない側の面）には、ネジ孔７１の位置にあうようにナットが溶接されていて、レールユニット６０をボルト止め可能としている。また、壁用支持柱７０Ａには、レールユニット６０が取り付けられる位置の上方に、固定用ネジ孔が設けられており、ボルトによって内箱１３の側面１３Ｃに固定されている。また、壁用支持柱７０Ａは、その両端が垂直に曲げられており、その両端部が底面１３Ａもしくは天面１３Ｂにボルトで固定されている。このように、壁用支持柱７０Ａは、内箱１３の側面１３Ｃと底面１３Ａと天面１３Ｂに固定されている。
【００２４】
一方、中央支持柱７０Ｂは、直接冷蔵室２０内（内箱１３）に取り付けられるのではなく、支柱ブラケット８０を介して、冷蔵室２０に取り付けられている。図７に示すように、その下端部には、支柱ブラケット８０に組み付けるための長孔７３が設けられている。この長孔７３にボルトを挿通することで、中央支持柱７０Ｂを支柱ブラケット８０にボルト固定することが可能となる。一方、上端部においては、ボルト止め用の長孔から、そのまま上縁に連なるように切り欠かれたネジ切欠７５が形成されている。また、中央支持柱７０Ｂは、その上下端部において、前側にその縁部を斜めに切り欠いた切欠部７７が形成されており、この切欠部７７内に、フレーム側取付部突出部４７Ａ等が配されるようになっている。なお、中央支持柱７０Ｂは、支持柱取付面８３の右側に取り付けられるものと左側に取り付けられるものとが左右対称の形状をなしている。
【００２５】
また、中央支持柱７０Ｂの長さは、冷蔵室２０の底面１３Ａから天面１３Ｂまでの長さがある壁用支持柱７０Ａに比して短くなっている。つまり、中央支持柱７０Ｂの長さは、冷蔵室２０の底面１３Ａから天面１３Ｂまでの高さ寸法よりも短くなっている。ここで、中央付近は排水口２７への傾斜のためにジョイナ１６と底面１３Ａに若干の段差が生じている。そのため仮に冷蔵室２０の底面１３Ａから天面１３Ｂまでの高さ寸法に中央支持柱７０Ｂをすると、上下のジョイナ１６間の高さ寸法よりも長くなってしまうため、組み付け作業のために冷蔵室２０内に中央支持柱７０Ｂを配する際にジョイナ１６に傷をつけやすくなる。しかし、中央支持柱７０Ｂを冷蔵室２０の底面１３Ａから天面１３Ｂまでの高さ寸法より短くする（好ましくは上下のジョイナ１６間の高さ寸法より短くする）ことで、ジョイナ１６及び庫内に傷をつけにくくなる。中央支持柱７０Ｂの長さは短い方が傷をつけにくくなるが、支柱ブラケット８０との組み付けに必要な長さを有するように決められている。
【００２６】
支柱ブラケット８０は、ステンレス鋼板等の金属で形成されており、図８及び図９に示すように、その天板８１から、左右方向でそれぞれ垂直に屈曲して中央支持柱７０Ｂを取り付ける支持柱取付面８３を有している。支持柱取付面８３には、ボルトを挿通させるための丸孔８３Ａが形成されており、丸孔８３Ａの内側の面にはナットが配されるようになっている。そして、支持柱取付面８３からさらに垂直に屈曲して、冷蔵室２０（内箱１３）に支柱ブラケット８０を取り付けるための取付面８５を有している。このように、支柱ブラケット８０は、天板８１と支持柱取付面８３と取付面８５とによって、前面開放のハット形状とされている。そして、天板８１は、支持柱取付面８３の幅寸法（前後方向の長さ）よりも、若干前側に延出しており、その延出端から垂直に屈曲することで、仕切枠４０（縦フレーム４３）を取り付ける仕切枠取付部８７を有している。仕切枠取付部８７は、天板８１の左右方向の長さ（支持柱取付面８３の間の寸法）よりも、左右方向に突出して仕切枠取付部突出部８７Ａが形成されている。そして、仕切枠取付部突出部８７Ａには、ボルトを貫通させるための孔８７Ｂが左右それぞれに形成されている。
【００２７】
続いて、本実施形態のレールの組み付け方法を説明する。
この冷蔵庫本体１１内の内箱１３の底面１３Ａと天面１３Ｂに支柱ブラケット８０がそれぞれ取付面８５の孔にボルトを挿通してボルト止めすることで固定される。支柱ブラケット８０は、図１０ないし図１２に示すように、内箱１３の左右方向（幅方向）の略中央付近で、ジョイナ１６の後側（庫内側）に固定される。つまり、ジョイナ１６と内箱１３の底面１３Ａとに生じている若干の段差を跨ぐことなく、底面１３Ａに取り付けられている。
【００２８】
このように固定された支柱ブラケット８０の左右の両支持柱取付面８３に対して、２本の中央支持柱７０Ｂをそれぞれ組み付ける。図１１に示すように、中央支持柱７０Ｂを底面１３Ａ側に突き当てて、中央支持柱７０Ｂを立てる。この際に、中央支持柱７０Ｂは冷蔵室２０（内箱１３）の底面１３Ａから天面１３Ｂまでの寸法より若干短めに設定されているので、底面１３Ａ側の支柱ブラケット８０に突き当てれば、冷蔵室２０内で中央支持柱７０Ｂを心配なく立てることができる。また、切欠部７７内に仕切枠取付部突出部８７Ａが配されることにより、突出している部分が干渉しないで取り付け可能とされている。
そして、立てられた中央支持柱７０Ｂの下端側の長孔７３と支柱ブラケット８０の支持柱取付面８３に形成された丸孔８３Ａとにボルトを挿通して、丸孔８３Ａの内側に配されたナットに対してボルト止めされることで、底面１３Ａ側の支柱ブラケット８０に中央支持柱７０Ｂが固定される。同様に、図１０に示すように、上端側のネジ切欠７５と支柱ブラケット８０の支持柱取付面８３に形成された丸孔８３Ａとにボルトを挿通して、丸孔８３Ａの内側に配されたナットに対してボルト止めされることで、天面１３Ｂ側の支柱ブラケット８０に中央支持柱７０Ｂが固定される。この際に、中央支持柱７０Ｂは、天面１３Ｂには当接せず、天面１３Ｂ側の支柱ブラケット８０の支持柱取付面８３に形成された丸孔８３Ａにネジ切欠７５の下部が当接して組み付け可能なようになっている。
【００２９】
このようにして、中央支持柱７０Ｂを組み付けるときには、上下方向については、下に突き当てて位置決めを行う。その際、中央支持柱７０Ｂ側のネジ孔が上下とも長孔形状であることから、上下方向の公差の吸収がされやすい。また、左右方向については、支柱ブラケット８０がレールユニット６０の取付位置に合うように予め固定されているため、支柱ブラケット８０の左右の支持柱取付面８３に当てて組み付けるだけで所定の位置に配されることから、組み付け時の位置調整は不要となる。
また、冷蔵室２０（内箱１３）の側面１３Ｃ側にも、壁用支持柱７０Ａが組み付けられる。壁用支持柱７０Ａは、内箱１３の側面１３Ｃと底面１３Ａと天面１３Ｂにボルト止めによって固定される。
【００３０】
このように固定された支持柱７０に対して、レールユニット６０を組み付ける。予め全体として四枠のフレーム状に組まれたレールユニット６０は、図４に示すように、連結板６５に設けられた位置決め用の穴が冷蔵室２０（内箱１３）の後面１３Ｄに設けられた位置決めピンに差し込まれることで、連結板６５が冷蔵室２０内に位置決めされる。そして、左右のレール取付部６１Ａを左右に配される支持柱７０のネジ孔７１に合うように配して、ボルトによって固定する。この際に、中央支持柱７０Ｂが支柱ブラケット８０によって、レールユニット６０が収まるように取り付けられていることから、レールユニット６０の組み付け誤差が公差内にあれば、取付の際の調整は不要となる。
【００３１】
そして、仕切枠４０を冷蔵室２０の前面開口部２１に対して組み付ける。予め、横フレーム４１を縦フレーム４３に組み付けて仕切枠４０として一体化した上で、図１２に示すように、縦フレーム４３を支柱ブラケット８０に組み付ける。フレーム側取付部４７が仕切枠取付部８７に当接するように位置合わせをして仕切枠４０を所定位置に配する。このように所定位置に配すると、フレーム側取付部突出部４７Ａと仕切枠取付部突出部８７Ａが、縦フレーム４３（縦フロントフレーム本体４５の側面位置）の左右方向に突出した状態になる。この状態で、それぞれに形成された孔４７Ｂ、８７Ｂに前面側からボルトを挿通して、仕切枠取付部突出部８７Ａの庫内側にナットを配してボルトをナットに螺合させることで、縦フレーム４３が支柱ブラケット８０に固定される。このように、縦フレーム４３よりも左右方向にフレーム側取付部突出部４７Ａと仕切枠取付部突出部８７Ａが突出していることで、前面側からボルトの取り付けを行うことができ、作業性に優れている。
【００３２】
そして、ドロワ５０を装着する。図３に示すように、その奥端側を出入口２３に挿入し、ドロワ５０のガイドローラ５９をドロワ収納室２５側の固定レール６３に嵌め、ドロワ収納室２５側の支持ローラ６９をドロワ５０の可動レール５７に嵌めてこれを受ける。そして前板５１を押すと、ガイドローラ５９が固定レール６３に、また支持ローラ６９が可動レール５７に沿ってそれぞれ転動しつつ、ドロワ５０がドロワ収納室２５内に押し込まれ、前板５１に設けられたパッキンが出入口２３の表面側の口縁に密着しつつ前板５１が出入口２３を閉じる。このような状態で、圧縮機３１などの冷凍装置を駆動することで、冷気を生成し、その冷気が吹出口２９から冷蔵室２０内に吹出されることで、冷蔵室２０内すなわち全ドロワ収納室２５に亘って循環流通され、ホテルパンＴ内に入れた食材等が冷却保存される。
【００３３】
なお、冷蔵室２０内を洗浄した際などに発生した排水は、冷蔵室２０（内箱１３）の底面１３Ａの傾斜に沿って、前方中央部付近に集まり、排水口２７から庫外へ排出される。その際、中央支持柱７０Ｂの近傍に排水口２７が配されることになるが、中央支持柱７０Ｂは、その下端前側に切欠部７７を有している。そのため、中央支持柱７０Ｂとジョイナ１６との間に溜まった排水も流すことができ、衛生的である。
【００３４】
以上のように本実施形態によれば、仕切枠４０（仕切部材）と中央支持柱７０Ｂ（レール設置部材）とをドロワ式冷蔵庫１０（冷却貯蔵庫）に取り付ける際に支柱ブラケット８０（支持具）を用いている。このように支柱ブラケット８０を用いることで、支柱ブラケット８０に対してその側面（支持柱取付面８３）に中央支持柱７０Ｂを組み付けた後、仕切枠４０（縦フレーム４３）を支柱ブラケット８０の前面（仕切枠取付部８７）に組み付ければ、中央支持柱７０Ｂと仕切枠４０の取り付けがなされることになるため、組み付け作業が容易になる。
【００３５】
また、支柱ブラケット８０は、冷蔵室２０の天面１３Ｂと底面１３Ａに取り付けられ、かつ、中央支持柱７０Ｂを組み付ける支持柱取付面８３（レール設置部材組付面）を冷蔵室２０の天面１３Ｂまたは底面１３Ａから立ち上がるように有しており、中央支持柱７０Ｂは、冷蔵室２０内の高さ寸法よりもわずかに短くなっている。
このような構成では、中央支持柱７０Ｂが冷蔵室２０内の高さ寸法よりも短くなっていることから、取り付けのために冷蔵室２０内に中央支持柱７０Ｂを配置する際に、冷蔵室２０内の天面１３Ｂや底面１３Ａに擦るなどして傷をつける不具合が生じにくくなる。また、天面１３Ｂもしくは底面１３Ａのいずれかに中央支持柱７０Ｂを突き当てて位置決めを行った場合、底面１３Ａもしくは天面１３Ｂのいずれかと中央支持柱７０Ｂの間に隙間が生じるが、中央支持柱７０Ｂは、底面１３Ａや天面１３Ｂに直接取り付けるのではなく、支柱ブラケット８０に取り付けるために、そのような隙間があっても滞りなく組み付けを行うことができる。なお、中央支持柱７０Ｂの長さは、短めの方が、傷をつける可能性が低くなって好ましいが、中央支持柱７０Ｂが支柱ブラケット８０に固定できるだけの長さを有するように支柱ブラケット８０の高さなどによって決められている。
【００３６】
そして、支柱ブラケット８０は、その前面に仕切枠４０を支持する（組み付ける）ための仕切枠取付部８７（仕切部材支持部）を有し、仕切枠取付部８７は支柱ブラケット８０の側面（支持柱取付面８３）よりも突出する仕切枠取付部突出部８７Ａ（支持具側突出部）を備えてなり、仕切枠４０（縦フレーム４３）は、その裏面に仕切枠取付部突出部８７Ａに取り付けるためのフレーム側取付部４７（取付部）を有し、フレーム側取付部４７は縦フロントフレーム本体４５（縦フレーム４３）の側面よりも突出するフレーム側取付部突出部４７Ａ（仕切部材側突出部）を備えてなり、仕切枠取付部突出部８７Ａとフレーム側取付部突出部４７Ａとが組み付けられる。このような構成では、仕切枠４０（縦フレーム４３）と支柱ブラケット８０との組み付けを、仕切枠４０の前面側から行うことができ、作業性に優れている。
【００３７】
さらに、中央支持柱７０Ｂは、その端部において切欠部７７が設けられ、フレーム側取付部突出部４７Ａが切欠部７７内に位置するように、支柱ブラケット８０に対して支持されている。このような構成では、フレーム側取付部突出部４７Ａが切欠部７７内に位置するため、フレーム側取付部突出部４７Ａ及び仕切枠取付部突出部８７Ａが中央支持柱７０Ｂと当接してしまう不具合を解消できる。
また、冷蔵室２０は、その底面１３Ａが前側に向かって下り勾配となっており、中央支持柱７０Ｂの近傍に排水口２７を有しており、切欠部７７は、中央支持柱７０Ｂの下側の前面に設けられている。このように中央支持柱７０Ｂの下側の前面側が切り欠かれていることによって、支柱ブラケット８０の傍、特に冷蔵室２０の底面１３Ａ手前側に溜まった排水を排水口２７に流し込むことができる。仮に、切欠部７７がなかった場合には、冷蔵室２０の底面１３Ａ手前に溜まった排水を流すことができず、溜まったままになってしまうため、不衛生となる。
【００３８】
＜他の実施形態＞
本発明は上記記述及び図面によって説明した実施形態に限定されるものではなく、例えば次のような実施形態も本発明の技術的範囲に含まれる。
（１）上記実施形態では６個のドロワを備えた横型冷蔵庫を例示したが、ドロワの数は任意であり、さらには縦型のドロワ式冷蔵庫や、横型または縦型のドロワ式冷凍庫、同ドロワ式冷凍冷蔵庫、さらには一部のみにドロワ形式を採用したもの等であって、縦横の仕切枠を用いているものであれば、引き出し可能なドロワを備えた冷却貯蔵庫全般に本発明は広く適用することができる。
（２）本発明は、上記実施形態に例示したホテルパンに限らず、規格化されていない容器をドロワのレールを用いて収容する形態のものにも同様に適用することができる。
【００３９】
（３）また、上記実施形態では、支柱ブラケット８０の仕切枠取付部８７は、天板８１から上方（内箱１３から遠ざかる方向）に垂直に屈曲していたが、下方（内箱１３に近づく方向）に垂直に屈曲していても良い。また、仕切枠取付部８７とフレーム側取付部４７が当接するように形成されていれば、他の角度などに屈曲していても良い。
（４）上記実施形態では、仕切枠取付部突出部８７Ａとフレーム側取付部突出部４７Ａは左右両側に突出して２か所で固定されていたが、２か所での固定ではなく、片側だけ突出して１か所の固定でも良いし、３か所以上での固定でも良い。
【００４０】
（５）上記実施形態では、中央支持柱７０Ｂは底面１３Ａ側に突き当てるものとしたが、天面１３Ｂ側に突き当てるようにしても良い。
（６）上記実施形態では、支柱ブラケット８０は、中央支持柱７０Ｂを組み付ける場合のみに用いていたが、壁側支持柱７０Ａを組み付けるのに用いても良い。
（７）上記実施形態では、ボルトとナットを用いた組み付け方法としたが、溶接等他の方法による固定でも良い。
【符号の説明】
【００４１】
１０…ドロワ式冷蔵庫（冷却貯蔵庫）  １３Ａ…（内箱の）底面  １３Ｂ…（内箱の）天面  ２０…冷蔵室（収納室）  ２１…前面開口部  ２３…出入口（開口部）  ２７…排水口  ４０…仕切枠（仕切部材）  ４３…縦フレーム  ４５…縦フロントフレーム本体  ４７…フレーム側取付部（取付部）  ４７Ａ…フレーム側取付部突出部（仕切部材側突出部）  ５０…ドロワ  ５１…前板（蓋部）  ５３…枠体部  ６０…レールユニット（レール）  ７０…支持柱  ７０Ａ…壁用支持柱  ７０Ｂ…中央支持柱（レール設置部材）  ７３…長孔  ７５…ネジ切欠  ７７…切欠部  ８０…支柱ブラケット（支持具）  ８３…支柱取付面（側面）  ８７…仕切枠取付部（前面、仕切部材支持部）  ８７Ａ…仕切枠取付部突出部（支持具側突出部）  Ｔ…ホテルパン
【図１】
2015078786.tif 000003
【図２】
2015078786.tif 000004
【図３】
2015078786.tif 000005
【図４】
2015078786.tif 000006
【図５】
2015078786.tif 000007
【図６】
2015078786.tif 000008
【図７】
2015078786.tif 000009
【図８】
2015078786.tif 000010
【図９】
2015078786.tif 000011
【図１０】
2015078786.tif 000012
【図１１】
2015078786.tif 000013
【図１２】
2015078786.tif 000014